(57)【要約】【課題】本考案は、従来より効率良く利用できるばかりでなく、近代的な美観を備えた建屋の壁面構造を提供することを目的としている。【解決手段】その建屋の壁面構造は、特定の機能及び用途を有し、突出部を備えたモデュール・ユニット部材を用い、建屋の用途に応じて該モデュール・ユニット部材の組み合わせ並びに配列を定め、それらを建屋の壁面を覆うように、床から独立させて配設し、取付手段を介して壁体に取付けたものである。ここで、前記モデュール・ユニット部材は、エアコン用部材、棚部材、照明用部材、スピーカー用部材、ＣＤ／ＤＶＤプレーヤー用部材、椅子部材、机部材等の群から選ばれた１種又は２種以上であることが好ましい。【選択図】        図１
0003140839.tif 000002
【実用新案登録請求の範囲】
【請求項１】
特定の機能及び用途を有し、突出部を備えたモデュール・ユニット部材を用い、建屋の用途に応じて該モデュール・ユニット部材の組み合わせ並びに配列を定め、それらを前記建屋の壁面を覆うように、床から独立させて配設し、取付手段を介して壁体に取付けてなることを特徴とする建屋の壁面構造。
【請求項２】
前記モデュール・ユニット部材が、エアコン用部材、棚部材、照明用部材、スピーカー用部材、ＣＤ／ＤＶＤプレーヤー用部材、椅子部材、机及びテーブル部材、絵画及び写真の額部材、展示パネル用部材、波形パネル部材並びに平板部材の群から選ばれた１種又は２種以上であることを特徴とする請求項１記載の建屋の壁面構造。
【請求項３】
前記モデュール・ユニット部材の材質が、成形合板による木質、樹脂、金属及びそれらの布被覆又は塗装が施されたものであることを特徴とする請求項２記載の建屋の壁面構造。
【考案の詳細な説明】
【技術分野】
【０００１】
本考案は、建屋の壁面構造に係わり、詳しくは、個人が居住する一戸建て住宅、マンション用ビルデング（以下、単にマンションという）、アパートメント・ハウス（以下、単にアパートという）並びに不特定多数の人が利用する店舗、駅舎、校舎、図書館、展覧会や展示会、会議や講演会を行う会場を含む施設、ホテル等の建屋を、従来より効率良く利用できるばかりでなく、近代的な美観を備えたものにする技術に関する。
【背景技術】
【０００２】
人が生活したり、公共活動を行う建屋内及びその周辺では、テーブル、椅子、棚、キャビネット、照明等の一般家具、絵画、写真、展示パネル、看板等の装飾・宣伝系の作品や広告部材、電話、ファックス、コンピュータ等の情報伝達系機器、テレビ、ＣＤ／ＤＶＤプレーヤー等のオディオ系機器、エアコン、電熱ヒータ、冷暖房機器等、多種にわたる物品が用いられる。これらの物品の建屋内外での配置は、一般的に、その利用上の便宜を最重要視して、壁面に隣接あるいは離隔した床上に適当に載置したり、壁面に任意の高さで固定したりして行われているのが現状である。そのため、壁面と家具や機器との配置関係において美観上のミスマッチが生み易い。
【０００３】
一方、人の生活様式は、経時的に変化するものであり、最近は、建屋としては、単に生活や活動の場として利用するだけでなく、生活や活動する上での快適さの観点から、美観も兼ね備えていることが要求されるようになっている。特に、若者を居住の対象とする住宅、アパート及びマンション等は、近代的な装いに欠けると、購入されたり、貸借される機会を失う傾向にある。また、ホテルや、各種催し会場、商店等も利用効率だけでなく、所謂「モダーン」なセンスでのレイアウトでないと、人気が低下し、上質な顧客を失うようになる。
【０００４】
そのため、例えば居住についてみれば、システム・キッチンのように、台所での作業効率を高めるため、多種の台所用具を１箇所に美観上の配慮を加えて集約したり（特許文献１参照）、壁面を有効利用してクロゼットや本棚を設置するようになった。また、収納家具同士の間や、出入口の壁面との間に、容易かつ確実に設置できる物品の収納に便利な建具ユニットが提案されている（特許文献２参照）。さらに、広い部屋を適切な大きさに仕切るのに便利なパネル状の仮設壁や、天井から懸垂され折りたたみ自在なアコーデオン方式の扉等も利用されている。
【０００５】
しかしながら、上記した家具、家電、機器等の多くは、本来単体で製品として完成されている物が多く、それらを統一感を持たせるように相互に組み合わせて配置することが難しいという問題があった。また、その多くは、床面や天井を支持媒体に利用するので、スペースの有効利用の面で難点があったり、美観が好ましくないという問題もあった。
【特許文献１】特開平１０−０３５７３９号公報
【特許文献２】特開２００２−１３８６８９号公報
【考案の開示】
【考案が解決しようとする課題】
【０００６】
本考案は、かかる事情に鑑み、従来より効率良く利用できるばかりでなく、近代的な美観を備えた建屋の壁面構造を提供することを目的としている。
【課題を解決するための手段】
【０００７】
本考案者は、上記目的を達成するため鋭意研究を重ね、その成果を本考案に具現化した。すなわち、本考案は、特定の機能及び用途を有し、突出部を備えたモデュール・ユニット部材を用い、建屋の用途に応じて該モデュール・ユニット部材の組み合わせ並びに配列を定め、それらを前記建屋の壁面を覆うように、床から独立させて配設し、取付手段を介して壁体に取付けてなることを特徴とする建屋の壁面構造である。
【０００８】
この場合、前記モデュール・ユニット部材が、エアコン用部材、棚部材、照明用部材、スピーカー用部材、ＣＤ／ＤＶＤプレーヤー用部材、椅子部材、机及びテーブル部材、絵画及び写真の額部材、展示パネル用部材、及び壁面を装飾する例えば、波形パネル部材並びに平板部材の群から選ばれた１種又は２種以上であることが好ましい。また、前記モデュール・ユニット部材の材質が、成形合板による木質、樹脂、金属及びそれらの布被覆又は塗装が施されたものであれば良い。
【考案の効果】
【０００９】
本考案によれば、建屋の壁面に簡単な工夫を凝らすだけで、従来より利用効率が高く、かつ美観を有する建屋の内外装が達成できるようになる。具体的には、各モデュール・ユニット部材を建屋の壁体で支持するので、床面を占拠せず、スペースの有効利用に貢献する。床面に載置する家具等が減少できるので、清掃、模様替え等が容易になるばかりでなく、ユニット化で使用部材の量産が可能になり、各部材のコストダウンが期待できる。
【考案を実施するための最良の形態】
【００１０】
以下、考案をなすに至った経緯をまじえ、本考案の最良の実施形態を説明する。
【００１１】
考案者は、上記した家具、家電、機器等の多くは、本来単体で製品として完成されている物が多く、それらを統一感を持たせるように相互に組み合わせて配置することが難しいという問題の解決策を鋭意追究した。その結果、家具、家電、機器等やそれらの収納容器をモデュール・ユニット化して、それらを組み合わせて建屋の壁面にできるだけ一体化して支持させれば良いとの発想を得て、その具体化に努力した。
【００１２】
まず、モデュール・ユニット化するには、そのための部材が必要であるが、特定の機能及び用途を有し、壁面からの突出部を備えたものが必要である。そこで、一例を挙げると、図２に示すような幅が４５０〜７００ｍｍで、長さ（施工時には高さ方向の長さ）３００〜１８００ｍｍ程度の部材を厚み２〜１２ｍｍの成形合板で試作した。なお、突出部の高さとしては、５０〜５００ｍｍの範囲である。幅、長さ、厚み及び突出部等のサイズは、部材の用途に応じて変化するので、本考案では特に限定するものでないが、施工の容易性及び工場での生産性を配慮すると、上記した範囲であることが好ましい。また、用いた成形合板の表面をポリウレタンで被覆して仕上げ、表面強度を上げると共に、該ユニット部材が単独でも美観を発揮するようにした。
【００１３】
次に、対象をホテル等の居室として、その一つの壁面全体を覆うように、モデュール・ユニット部材を隙間なく組み合わせて配列を定め、床から独立させて配設し、取付手段を介して壁体に取付けた。その際、用いたモデュール・ユニット部材の組み合わせ並びに配列は、居室として必要と思われるモデュール・ユニット部材を選択し、統一性を配慮して行った。ここで、床から独立させたのは、本考案の重要な要件で、該壁面構造の支持を壁体だけで行うようにするためである。
【００１４】
その結果、図１に示すような美しく、清潔感がある現代風の装いを呈する壁面構造が得られた。また、各モデュール・ユニット部材を建屋の壁体で支持するので、床面を占拠せず、スペースの有効利用に貢献する。床面に載置する家具等が減少できるので、清掃、模様替え等が容易になるばかりでなく、ユニット化で使用部材の量産が可能になり、各部材のコストダウンが期待できる等、従来より利用効率が高く、かつ美観を有する建屋の内外装が達成できるようになる。
【００１５】
そこで、考案者は、かかる建屋の壁面構造を新規な考案として提案することにした。図２に例示したモデュール・ユニット部材は、エアコン用部材１、棚部材２、照明用部材３、装飾用の波形パネル部材４及び平板部材５、スピーカー用部材６、ＣＤ／ＤＶＤプレーヤ用部材７、壁面テーブル部材８、壁面椅子部材９、壁面チェスト部材１０、展示パネル用部材１１等である。
【００１６】
本考案では、これらのモデュール・ユニット部材に限らず、キャビネット、ダスト・ボックス、コート・ハンガー、ブック・スタンド、傘スタンド等の一般家具、絵画、写真、看板等の装飾・宣伝系の作品・広告部材、電話、時計、ファックス、コンピュータ等の情報伝達系機器、テレビ、画像デイスプレイ装置等の音響・ビジュアル系機器、エアコン、ヒータ等の冷暖房機器、鏡、洗面台、ドレッサー等の化粧・衛生系設備などから、建屋の用途に応じたてモデュール・ユニット部材を適宜製作し、利用すれば良い。なお、図２に示した各部材の名称には、「エアコン用部材」のように「用」なる語を介在させたものと、「棚部材」のように「用」を介在しないものとがある。その理由は、エアコン、照明等の機械や電気製品は、それら自体を直接に壁面に取り付けるのではなく、外装とか収納容器であることを意味するために「用」なる語を介在させ、棚、テーブル等はその部材自体が直接にその機能を発揮するので、「用」なる語を介在させていないのである。ここで、前記「建屋の用途」とは、個人の居住、不特定多数の人が店舗、駅舎、校舎、図書館として利用、展覧会や展示会、会議や講演会を行うこと、ホテル等のように宿泊に利用すること等の意味である。
【００１７】
また、  前記モデュール・ユニット部材の材質は、成形合板による木質、プラスチック等の樹脂、アルミニウム板、鋼板等の金属及びそれらの布被覆又は塗装が施されたものが利用できる。この塗装には模様化したもの、図化したものでも良い。いずれの材料も加工性に優れているばかりでなく、使用に耐える強度を有し、入手が容易な材料だからである。さらに、前記モデュール・ユニット部材を建屋の壁体へ取り付けるには、周知の取り付け金具を利用すれば良い。例えば、建屋の壁体に直接ビス等で固定する方法があり、また部材の裏面に金具（棒状体等）を取り付け、壁体にワンタッチで固定するような着脱容易な方法により、以降に生じる配置転換、追加、破損時でのモデュール・ユニット部材の入れ替えを可能とする。加えて、該モデュール・ユニット部材を取り付けるには、各部材間の隙間をあけないように隣接させるのが重要である。さらに加えて、壁面の１部だけを覆うようにしても良いが、全体を覆うようにするのが好ましい。その方が、美観を発揮する上で有利だからである。
【００１８】
また、隣り合う壁面のコーナー部には、コーナーの特徴を生かした部材を配置するのが良い。例えば、コーナー・テーブル部材、コーナー棚部材、コーナー照明用部材を配列するようにすれば、コーナーを有効利用できるばかりでなく、隣り合う２つの壁面を連続した美観が得られるというようなメリットがあるからである。さらに、モデュール・ユニット部材が電気配線や配管を必要とするものである場合には、それらを部材の裏面側で連結できるように、部材の製作メーカーに加工させれば良い。なお、モデュール・ユニット部材の表面には、電気機器の利用の便に供するコンセントを配置しても良い。
【実施例】
【００１９】
以下に、上記した本考案の実施例を列挙する。
（実施例１）
まず、図３は、一般家庭のリビング・ルームの壁面構造に本考案を採用した場合である。利用したモデュール・ユニット部材は、成形合板を目的とする壁面構造に合うように成形加工したもので、いずれも幅４４５ｍｍ、厚み１２ｍｍ、長さは最大のもので１８００ｍｍと種々変化させて製作した。そして、取り付け施工は、各モデュール・ユニットを隣接し、隙間無く壁面に裏面取付け金具で固定する方法で行った。また、最後の仕上げとして、表面の全体を透明のポリウレタンで塗装して完成させた。照明用部材３、棚部材２、ＣＤ／ＤＶＤプレーヤー用部材７、テレビ用部材１１、壁面チェスト部材９、壁面テーブル部材８等が一つの壁面に整然と配置され、美観を呈していたばかりでなく、他のスペースの有効利用が可能になると予想できる。
（実施例２）
図４は、店舗における商品等の陳列に棚部材２を備えた壁面構造を示す例である。各モデュール・ユニット部材は、３ｍｍ厚のステンレス鋼板を成形加工して製作され、この場合も壁面を覆うようにビスで固定した。上方に商品を照らす照明用部材３を設けると共に、顧客に良い印象を与えるように、波形パネル部材４の利用で美しい構造になっている。
（実施例３）
図５は、駅舎、図書館、ホテル等のロビーの壁面に本考案を利用した例である。各モデュール・ユニット部材は、３ｍｍ厚のアルミニウム板を成形加工して製作され、この場合も壁面を覆うようにビスで固定した。壁面にベンチ部材１２、壁面テーブル部材８を設けると共に、その上方に照明用部材３を配置し、読書等の便利を図っている。
【００２０】
以上の実施例は、いずれも屋内側の壁面構造を示したものであるが、本考案は、屋内側だけに限らず、屋外側の壁面にも利用可能である。例えば、図５に示したベンチ部材１２等は、屋外にあっても有効である。
【図面の簡単な説明】
【００２１】
【図１】本考案に係る壁面構造をホテル等の居室に設けた例を示す図である。
【図２】本考案に係る壁面構造の形成に利用するモデュール・ユニット部材の一例を示す図である。
【図３】本考案に係る壁面構造を一般家庭のリビング・ルームに設けた例を示す図である。
【図４】本発明に係る壁面構造を店舗に設けた例を示す図である。
【図５】本発明に係る壁面構造をホテル等のロビーに設けた例を示す図である。
【符号の説明】
【００２２】
１    エアコン用部材
２    棚部材
３    照明用部材
４    波形パネル部材
５    平板部材
６    スピーカー用部材
７    ＣＤ／ＤＶＤプレーヤー用部材
８    壁面テーブル部材
９    壁面チェスト部材
１０  展示パネル用部材
１１  テレビ用部材
１２  ベンチ部材
【図１】
0003140839.tif 000003
【図２】
0003140839.tif 000004
【図３】
0003140839.tif 000005
【図４】
0003140839.tif 000006
【図５】
0003140839.tif 000007